(57)【要約】【課題】無線フレーム中の同期パターンが基地局間干渉によって受信側基地局で検出することができなくなることを防止し、基地局間通信の信頼性向上を図る。【解決手段】基地局１は、基地局間同期の取れた時刻に基づいた所定の送信タイミングで同期パターンを送信し、同期パターン送信タイミングに基づいて基地局２，３に向けたデータを送信し、同期パターン送信タイミングに基づいて基地局２，３から送信されたデータを受信し、基地局２，３は、同期パターンを受信し、同期パターン受信タイミングに基づいて基地局１から送信されたデータを受信し、同期パターン受信タイミングに基づいて基地局１に向けたデータを送信する。【選択図】図６
2009117984.tif 000002
【特許請求の範囲】
【請求項１】
同期パターンを送信する唯一の第１の通信装置と、
同期パターンを送信しない第２の通信装置と、を備え、
前記第１の通信装置及び前記第２の通信装置は、通信装置間の時刻同期を取る時刻同期手段を有し、
前記第１の通信装置は、
通信装置間同期の取れた時刻に基づいた所定の送信タイミングで同期パターンを送信する同期パターン送信手段と、
前記同期パターン送信タイミングに基づいて、前記第２の通信装置に向けたデータを送信する下りリンクデータ送信手段と、
前記同期パターン送信タイミングに基づいて、前記第２の通信装置から送信されたデータを受信する上りリンクデータ受信手段と、を有し、
前記第２の通信装置は、
同期パターンを受信する同期パターン受信手段と、
前記同期パターン受信タイミングに基づいて、前記第１の通信装置から送信されたデータを受信する下りリンクデータ受信手段と、
前記同期パターン受信タイミングに基づいて、前記第１の通信装置に向けたデータを送信する上りリンクデータ送信手段と、を有する、
ことを特徴とする無線ネットワークシステム。
【請求項２】
前記第２の通信装置を複数設け、
前記第２の通信装置は、
前記同期パターン送信タイミングに基づいて、他の前記第２の通信装置に向けたデータを送信する下りリンクデータ送信手段と、
前記同期パターン送信タイミングに基づいて、他の前記第２の通信装置から送信されたデータを受信する上りリンクデータ受信手段と、を有する、
ことを特徴とする請求項１に記載の無線ネットワークシステム。
【請求項３】
前記第１の通信装置は、
通信装置に対してデータ伝送用のスロットを割り当てるスロット割り当て管理手段と、
該スロット割り当て結果を通知するデータを前記同期パターン送信タイミングに基づいて下りシグナリングスロットで送信する下りシグナリングスロット送信手段と、
前記第２の通信装置から送信されたスロット割り当て要求データを前記同期パターン送信タイミングに基づいて上りシグナリングスロットで受信する上りシグナリングスロット受信手段と、を有し、
前記第２の通信装置は、
前記同期パターン受信タイミングに基づいて、下りシグナリングスロットのデータを受信する下りシグナリングスロット受信手段と、
前記同期パターン受信タイミングに基づいて、スロット割り当て要求データを上りシグナリングスロットで送信する上りシグナリングスロット送信手段と、を有する、
ことを特徴とする請求項２に記載の無線ネットワークシステム。
【請求項４】
同期パターンを送信する唯一の制御局と、
同期パターンを送信しない第１の通信装置と、
同期パターンを送信しない第２の通信装置と、を備え、
前記制御局及び前記通信装置は、局間の時刻同期を取る時刻同期手段を有し、
前記制御局は、通信装置間同期の取れた時刻に基づいた所定の送信タイミングで同期パターンを送信する同期パターン送信手段を有し、
前記第１の通信装置は、
前記同期パターン送信タイミングに基づいて、前記第２の通信装置に向けたデータを送信する下りリンクデータ送信手段と、
前記同期パターン送信タイミングに基づいて、前記第２の通信装置から送信されたデータを受信する上りリンクデータ受信手段と、を有し、
前記第２の通信装置は、
同期パターンを受信する同期パターン受信手段と、
前記同期パターン受信タイミングに基づいて、前記第１の通信装置から送信されたデータを受信する下りリンクデータ受信手段と、
前記同期パターン受信タイミングに基づいて、前記第１の通信装置に向けたデータを送信する上りリンクデータ送信手段と、を有する、
ことを特徴とする無線ネットワークシステム。
【請求項５】
前記第２の通信装置を複数設け、
前記第２の通信装置は、
前記同期パターン送信タイミングに基づいて、他の前記第２の通信装置に向けたデータを送信する下りリンクデータ送信手段と、
前記同期パターン送信タイミングに基づいて、他の前記第２の通信装置から送信されたデータを受信する上りリンクデータ受信手段と、を有する、
ことを特徴とする請求項４に記載の無線ネットワークシステム。
【請求項６】
前記制御局は、
通信装置に対してデータ伝送用スロットを割り当てるスロット割り当て管理手段と、
該スロット割り当て結果を通知するデータを前記同期パターン送信タイミングに基づいて下りシグナリングスロットで送信する下りシグナリングスロット送信手段と、
前記第２の通信装置から送信されたスロット割り当て要求データを前記同期パターン送信タイミングに基づいて上りシグナリングスロットで受信する上りシグナリングスロット受信手段と、を有し、
前記通信装置は、
前記同期パターン受信タイミングに基づいて、下りシグナリングスロットのデータを受信する下りシグナリングスロット受信手段と、
前記同期パターン受信タイミングに基づいて、スロット割り当て要求データを上りシグナリングスロットで送信する上りシグナリングスロット送信手段と、を有する、
ことを特徴とする請求項５に記載の無線ネットワークシステム。
【請求項７】
前記同期パターン送信手段を具備しない第２の制御局と、
前記第２の制御局によってデータ伝送用スロットの割り当てを受ける前記第１の通信装置及び第２の通信装置と、
を備えたことを特徴とする請求項６に記載の無線ネットワークシステム。
【請求項８】
相互に同期した時刻に基づいて動作する複数の通信装置を含む無線ネットワークシステムにおける通信装置であり、
前記同期した時刻に基づく同期パターン送信タイミングで、同期パターンを他の通信装置に送信する同期パターン送信手段と、
前記他の通信装置に向けたデータを、前記同期パターン送信タイミングに基づくタイミングで送信する下りリンクデータ送信手段と、
前記他の通信装置が前記同期パターン送信タイミングに基づくタイミングで同期パターンを伴わずに送信したデータ、を受信する上りリンクデータ受信手段と、
を有することを特徴とする通信装置。
【請求項９】
相互に同期した時刻に基づいて動作する複数の通信装置を含む無線ネットワークシステムにおける通信装置であり、
他の通信装置のいずれか１つが前記同期した時刻に基づく同期パターン送信タイミングで送信した同期パターン、を受信する同期パターン受信手段と、
前記同期パターン送信タイミングに基づくタイミングで、他の通信装置に向けたデータを、同期パターンを伴わずに送信する上りリンクデータ送信手段と、
を有することを特徴とする通信装置。
【請求項１０】
相互に同期した時刻に基づいて動作する複数の通信装置を含む無線ネットワークシステムにおける通信装置であり、
他の通信装置のいずれか１つが前記同期した時刻に基づく同期パターン送信タイミングで送信した同期パターンを受信する同期パターン受信手段と、
前記同期パターンを受信したタイミングから前記同期パターン送信タイミングを検出し、該検出した同期パターン送信タイミングに基づくタイミングで、他の通信装置に向けたデータを、同期パターンを伴わずに送信する上りリンクデータ送信手段と、
を有することを特徴とする通信装置。
【発明の詳細な説明】
【技術分野】
【０００１】
本発明は、移動通信システムの無線基地局同士など、通信装置間で無線通信する無線ネットワークシステムに関する。
【背景技術】
【０００２】
近年、移動通信システムにおいて、無線基地局（以下、単に基地局と称する）同士が無線ネットワークを構成し、無線ネットワークを介して基地局間通信を行うことが検討されている。例えば、IEEE（Institute of Electrical and Electronic Engineers）の標準規格「IEEE802.16e」に準拠の「Mobile WiMAX」と呼ばれる無線アクセス方式の基地局同士で無線ネットワークを構成することが検討されている。
【０００３】
「IEEE802.16e」では、図１７に示される例のようなフォーマットの無線フレームを用いて基地局と移動局の間の無線通信を行う。図１７（ａ）は、基地局から移動局へ向かう方向の下りリンク（ダウンリンク：ＤＬ）のフレームフォーマットである。図１７（ｂ）は、移動局から基地局へ向かう方向の上りリンク（アップリンク：ＵＬ）のフレームフォーマットである。図１７（ａ）に示されるように、基地局は同期パターンを先頭に有するＤＬフレームを送信する。移動局はＤＬフレーム中の同期パターンを検出し、当該ＤＬフレーム中の以降のスロットのデータを受信する。また、移動局は、図１８に示されるように、ＤＬフレームに引き続いてＵＬフレームを送信する。
【非特許文献１】IEEE Std 802.16e-2005,“IEEE Standard for Local and metropolitan area networks Part 16: Air Interface for Fixed and Mobile Broadband Wireless Access Systems Amendment 2: Physical and Medium Access Control Layers for Combined Fixed and Mobile Operation in Licensed Bands and Corrigendum 1”,§8.3.5 Frame structure
【発明の開示】
【発明が解決しようとする課題】
【０００４】
しかし、上述した従来の「IEEE802.16e」の下りリンクでは、全ての基地局が同期パターンを有するＤＬフレームを送信するが、これを基地局間無線ネットワークに利用する場合、以下の問題が生じる。基地局間無線ネットワークでは、複数の基地局が同じ周波数帯を利用する場合があるので、各基地局から送信される同期パターンが基地局間干渉によって受信側基地局で検出することができなくなると、基地局間通信が途絶えることになりかねない。
【０００５】
本発明は、このような事情を考慮してなされたもので、その目的は、無線フレーム中の同期パターンが基地局間干渉によって受信側基地局で検出することができなくなることを防止し、基地局間通信の信頼性向上を図ることのできる無線ネットワークシステム及び通信装置を提供することにある。
【課題を解決するための手段】
【０００６】
上記の課題を解決するために、本発明に係る無線ネットワークシステムは、同期パターンを送信する唯一の第１の通信装置と、同期パターンを送信しない第２の通信装置と、を備え、前記第１の通信装置及び前記第２の通信装置は、通信装置間の時刻同期を取る時刻同期手段を有し、前記第１の通信装置は、通信装置間同期の取れた時刻に基づいた所定の送信タイミングで同期パターンを送信する同期パターン送信手段と、前記同期パターン送信タイミングに基づいて、前記第２の通信装置に向けたデータを送信する下りリンクデータ送信手段と、前記同期パターン送信タイミングに基づいて、前記第２の通信装置から送信されたデータを受信する上りリンクデータ受信手段と、を有し、前記第２の通信装置は、同期パターンを受信する同期パターン受信手段と、前記同期パターン受信タイミングに基づいて、前記第１の通信装置から送信されたデータを受信する下りリンクデータ受信手段と、前記同期パターン受信タイミングに基づいて、前記第１の通信装置に向けたデータを送信する上りリンクデータ送信手段と、を有することを特徴とする無線ネットワークシステム。
【０００７】
本発明に係る無線ネットワークシステムにおいては、前記第２の通信装置を複数設け、前記第２の通信装置は、前記同期パターン送信タイミングに基づいて、他の前記第２の通信装置に向けたデータを送信する下りリンクデータ送信手段と、前記同期パターン送信タイミングに基づいて、他の前記第２の通信装置から送信されたデータを受信する上りリンクデータ受信手段と、を有することを特徴とする。
【０００８】
本発明に係る無線ネットワークシステムにおいては、前記第１の通信装置は、通信装置に対してデータ伝送用のスロットを割り当てるスロット割り当て管理手段と、該スロット割り当て結果を通知するデータを前記同期パターン送信タイミングに基づいて下りシグナリングスロットで送信する下りシグナリングスロット送信手段と、前記第２の通信装置から送信されたスロット割り当て要求データを前記同期パターン送信タイミングに基づいて上りシグナリングスロットで受信する上りシグナリングスロット受信手段と、を有し、前記第２の通信装置は、前記同期パターン受信タイミングに基づいて、下りシグナリングスロットのデータを受信する下りシグナリングスロット受信手段と、前記同期パターン受信タイミングに基づいて、スロット割り当て要求データを上りシグナリングスロットで送信する上りシグナリングスロット送信手段と、を有することを特徴とする。
【０００９】
本発明に係る無線ネットワークシステムは、同期パターンを送信する唯一の制御局と、同期パターンを送信しない第１の通信装置と、同期パターンを送信しない第２の通信装置と、を備え、前記制御局及び前記通信装置は、局間の時刻同期を取る時刻同期手段を有し、前記制御局は、通信装置間同期の取れた時刻に基づいた所定の送信タイミングで同期パターンを送信する同期パターン送信手段を有し、前記第１の通信装置は、前記同期パターン送信タイミングに基づいて、前記第２の通信装置に向けたデータを送信する下りリンクデータ送信手段と、前記同期パターン送信タイミングに基づいて、前記第２の通信装置から送信されたデータを受信する上りリンクデータ受信手段と、を有し、前記第２の通信装置は、同期パターンを受信する同期パターン受信手段と、前記同期パターン受信タイミングに基づいて、前記第１の通信装置から送信されたデータを受信する下りリンクデータ受信手段と、前記同期パターン受信タイミングに基づいて、前記第１の通信装置に向けたデータを送信する上りリンクデータ送信手段と、を有することを特徴とする。
【００１０】
本発明に係る無線ネットワークシステムにおいては、前記第２の通信装置を複数設け、前記第２の通信装置は、前記同期パターン送信タイミングに基づいて、他の前記第２の通信装置に向けたデータを送信する下りリンクデータ送信手段と、前記同期パターン送信タイミングに基づいて、他の前記第２の通信装置から送信されたデータを受信する上りリンクデータ受信手段と、を有することを特徴とする。
【００１１】
本発明に係る無線ネットワークシステムにおいては、前記制御局は、通信装置に対してデータ伝送用スロットを割り当てるスロット割り当て管理手段と、該スロット割り当て結果を通知するデータを前記同期パターン送信タイミングに基づいて下りシグナリングスロットで送信する下りシグナリングスロット送信手段と、前記第２の通信装置から送信されたスロット割り当て要求データを前記同期パターン送信タイミングに基づいて上りシグナリングスロットで受信する上りシグナリングスロット受信手段と、を有し、前記通信装置は、前記同期パターン受信タイミングに基づいて、下りシグナリングスロットのデータを受信する下りシグナリングスロット受信手段と、前記同期パターン受信タイミングに基づいて、スロット割り当て要求データを上りシグナリングスロットで送信する上りシグナリングスロット送信手段と、を有することを特徴とする。
【００１２】
本発明に係る無線ネットワークシステムにおいては、前記同期パターン送信手段を具備しない第２の制御局と、前記第２の制御局によってデータ伝送用スロットの割り当てを受ける前記第１の通信装置及び第２の通信装置とを備えたことを特徴とする。
【００１３】
本発明に係る通信装置は、相互に同期した時刻に基づいて動作する複数の通信装置を含む無線ネットワークシステムにおける通信装置であり、前記同期した時刻に基づく同期パターン送信タイミングで、同期パターンを他の通信装置に送信する同期パターン送信手段と、前記他の通信装置に向けたデータを、前記同期パターン送信タイミングに基づくタイミングで送信する下りリンクデータ送信手段と、前記他の通信装置が前記同期パターン送信タイミングに基づくタイミングで同期パターンを伴わずに送信したデータ、を受信する上りリンクデータ受信手段と、を有することを特徴とする。
【００１４】
本発明に係る通信装置は、相互に同期した時刻に基づいて動作する複数の通信装置を含む無線ネットワークシステムにおける通信装置であり、他の通信装置のいずれか１つが前記同期した時刻に基づく同期パターン送信タイミングで送信した同期パターン、を受信する同期パターン受信手段と、前記同期パターン送信タイミングに基づくタイミングで、他の通信装置に向けたデータを、同期パターンを伴わずに送信する上りリンクデータ送信手段と、を有することを特徴とする。
【００１５】
本発明に係る通信装置は、相互に同期した時刻に基づいて動作する複数の通信装置を含む無線ネットワークシステムにおける通信装置であり、他の通信装置のいずれか１つが前記同期した時刻に基づく同期パターン送信タイミングで送信した同期パターンを受信する同期パターン受信手段と、前記同期パターンを受信したタイミングから前記同期パターン送信タイミングを検出し、該検出した同期パターン送信タイミングに基づくタイミングで、他の通信装置に向けたデータを、同期パターンを伴わずに送信する上りリンクデータ送信手段と、を有することを特徴とする。
【発明の効果】
【００１６】
本発明によれば、無線フレーム中の同期パターンが基地局間干渉によって受信側基地局で検出することができなくなることを防止することができる。これにより、基地局間通信の信頼性向上を図ることが可能になる。
【発明を実施するための最良の形態】
【００１７】
以下、図面を参照し、本発明の実施形態について説明する。なお、以下の実施形態は、「IEEE802.16e」をもとにしている。
【００１８】
［第１実施形態］
図１は、本発明の第１実施形態に係る基地局間無線ネットワークシステムの構成を示すブロック図である。図１において、基地局間無線ネットワークシステムは、複数（図１の例では５台）の基地局１〜５から構成される。各基地局１〜５は、全ての基地局１〜５の無線エリアが重なっている場所に配置されている。従って、各基地局１〜５は、他の全ての基地局１〜５から送信された電波を受信することができる。なお、基地局１〜５は、同じ周波数帯を利用して基地局間無線通信を行う。
【００１９】
基地局１〜５のうち、基地局１は、無線ネットワークにおける通信経路の根に相当する基地局である。ここでいう通信経路はユーザデータを伝達するための通信の経路であり、シグナリングデータを伝達するための通信の経路とは別である。基地局１からは、基地局２及び基地局４に係る通信経路と、基地局３及び基地局５に係る通信経路とがのびている。互いに隣り合う基地局は直接に通信する。隣り合っていない基地局間は、隣り合う基地局を介して通信する。基地局２は基地局１と直接に通信するが、基地局４は基地局２を介して基地局１と通信する。同様に、基地局３は基地局１と直接に通信するが、基地局５は基地局３を介して基地局１と通信する。
【００２０】
図２は、図１に示す基地局間無線ネットワークシステムにおける基地局１〜５の機能構造を示す図である。図２において、各基地局１〜５は、基地局（Base Station：ＢＳ）の機能を有するＢＳ部と、移動局（Mobile Subscriber Station：ＭＳＳ）の機能を有するＭＳＳ部とを備える。ＢＳ部は、他局のＭＳＳ部との間で無線通信する。ＢＳ部から他局のＭＳＳ部へは下りリンクを用いた無線通信を行う。ＭＳＳ部から他局のＢＳ部へは上りリンクを用いた無線通信を行う。
なお、図１の構成例では、基地局１は、通信経路の根であるために、ＢＳ部のみが動作し、ＭＳＳ部は動作しない。また、基地局４及び基地局５は、通信経路の末端であるために、ＭＳＳ部のみが動作し、ＢＳ部は動作しない。
【００２１】
図３は、図１に示す基地局間無線ネットワークシステムにおける基地局１〜５のハードウェア構成を示すブロック図である。図３において、基地局１〜５は、アンテナ１１と無線モジュール１２と通信モジュール１３とＧＰＳ（Global Positioning System）装置１４とＣＰＵ（中央演算処理装置）１５とメモリ１６と操作部１７と表示部１８とを備える。
【００２２】
無線モジュール１２は、アンテナ１１を介して無線信号を送受する。無線送信される信号はＣＰＵ１５から無線モジュール１２に入力される。無線受信された信号は無線モジュール１２からＣＰＵ１５へ出力される。
【００２３】
通信モジュール１３は、コアネットワークに接続し通信するための有線による通信機能を有する。
ＧＰＳ装置１４は、人工衛星からの送信電波を検出し、受信信号中の時刻情報を基に時刻を取得する。取得された時刻は、ＧＰＳ装置１４からＣＰＵ１５へ出力される。
【００２４】
ＣＰＵ１５は、メモリ１６に記憶されるプログラムを実行することにより、各種の情報処理機能（装置制御機能、ＢＳ機能、ＭＳＳ機能など）を実現する。メモリ１６は、ＣＰＵ１５で実行されるプログラムおよび各種データを記憶する。ＣＰＵ１５はメモリ１６にアクセスし、データを読み書きすることができる。
【００２５】
操作部１７は、キーボード、テンキー、マウス等の入力デバイスから構成され、基地局運用者による入力デバイス操作に応じたデータ入力を行う。入力データは操作部１７からＣＰＵ１５へ出力される。表示部１８は、液晶表示装置等の表示デバイスから構成され、データ表示を行う。表示されるデータは、ＣＰＵ１５から表示部１８に入力される。
【００２６】
図４及び図５は、図３に示すＣＰＵ１５がメモリ１６に記憶されているプログラムを実行して実現する機能を展開したブロック構成のうち、ＢＳ機能及びＭＳＳ機能に係る部分を示す機能ブロック図である。図４は、図１に示す基地局１に係る機能ブロック図である。図５は、図１に示す基地局２〜５に係る機能ブロック図である。なお、上記基地局１〜５が本発明に係る通信装置に対応する。
【００２７】
まず、図４を参照して図１に示す基地局１に係る構成を説明する。
図４において、基地局１はＢＳ部を有する。通信経路の根である基地局１は、ＭＳＳ部が動作しないので、図４ではＭＳＳ部を省略している。基地局１のＢＳ部は、時刻同期部３１と同期パターン送信部３２とスロット割り当て管理部３３と下りシグナリングスロット送信部３４と下りユーザデータ用スロット送信部３５と上りシグナリングスロット受信部３６と上りユーザデータ用スロット受信部３７とを有する。
【００２８】
時刻同期部３１は、ＧＰＳ装置１４から受け取った時刻に自基地局の時計の時刻を合わせる。これにより、基地局間の時刻同期を取る。
同期パターン送信部３２は、同期パターンを生成し、無線モジュール１２によりＤＬフレームの先頭で同期パターンを送信する。同期パターンを無線送信する送信タイミングは、時刻同期部３１により基地局間同期の取れた時刻に基づいた所定のタイミングである。この同期パターンの送信タイミングを規定する条件は、全基地局１〜５に共通に設定される。これにより、全基地局１〜５は、同期パターンの送信タイミングを共有する。
【００２９】
スロット割り当て管理部３３は、各基地局１〜５が使用するユーザデータ用スロットを割り当てる。スロット割り当て管理部３３は、ユーザデータ用スロットの割り当て結果を通知するユーザデータ用スロット割り当て情報を生成する。
下りシグナリングスロット送信部３４は、無線モジュール１２によりＤＬフレーム中の下りシグナリングスロットでユーザデータ用スロット割り当て情報を送信する。ユーザデータ用スロット割り当て情報は、ユーザデータ用スロット毎に、どの基地局からどの基地局への通信に割り当て済みであるのかを示す下りユーザデータ用スロット割り当てフラグを有する。
【００３０】
下りユーザデータ用スロット送信部３５は、無線モジュール１２により、自局から送信するユーザデータをＤＬフレーム中の自局に割り当てられた下りユーザデータ用スロットで送信する。
【００３１】
上りシグナリングスロット受信部３６は、無線モジュール１２で受信された信号から、上りシグナリングスロットのデータを受信する。
上りユーザデータ用スロット受信部３７は、無線モジュール１２で受信された信号から、ＵＬフレーム中の自局に割り当てられた上りユーザデータ用スロットのデータを受信する。
【００３２】
ここで、図６を参照して基地局１の動作を説明する。図６は、図１に示す基地局間無線ネットワークシステムにおける無線フレームの構成を説明するための説明図である。
図６において、基地局１のＢＳ部は、ＤＬフレームの先頭で同期パターンを送信する。ＤＬフレームフォーマットは、図１７（ａ）に示されている。ＤＬフレームの時間位置は、基地局間同期の取れた時刻に基づいた所定の位置であり、同期パターンの送信タイミングでＤＬフレームの開始位置が規定される。同期パターンの送信タイミングは全基地局で共有される。従って、ＤＬフレームの時間位置は、全基地局で共通である。ＤＬフレーム中の各スロットの時間位置は、ＤＬフレームの先頭からの所定位置に規定されている。同様に、ＵＬフレームの時間位置は、図１８に示されるように、ＤＬフレームに引き続いた相対的な時間位置関係で規定されている。そして、ＵＬフレーム中の各スロットの時間位置は、ＵＬフレームの先頭からの所定位置に規定されている。ＵＬフレームフォーマットは、図１７（ｂ）に示されている。
【００３３】
基地局１のＢＳ部は、ＤＬフレーム中の下りシグナリングスロットでユーザデータ用スロット割り当て情報を送信する。下りシグナリングスロットは、図１７（ａ）に示されるように、下りユーザデータ用スロットの各々に対応して設けられる。基地局１のＢＳ部は、下りユーザデータ用スロットに対応する下りシグナリングスロットで、下りユーザデータ用スロット割り当てフラグを送信する。
【００３４】
図６の例では、４つの下りユーザデータ用スロット＃１，＃２，＃３，＃４のうち、スロット＃１が基地局１から基地局２への通信に、スロット＃２が基地局１から基地局３への通信に、スロット＃３が基地局２から基地局４への通信に、スロット＃４が基地局３から基地局５への通信に、それぞれ割り当てられている。このため、下りユーザデータ用スロット＃１，＃２，＃３，＃４に各々対応する下りシグナリングスロット＃１，＃２，＃３，＃４のうち、スロット＃１では基地局１から基地局２への通信に割り当て済みであることを示す下りユーザデータ用スロット割り当てフラグを、スロット＃２では基地局１から基地局３への通信に割り当て済みであることを示す下りユーザデータ用スロット割り当てフラグを、スロット＃３では基地局２から基地局４への通信に割り当て済みであることを示す下りユーザデータ用スロット割り当てフラグを、スロット＃４では基地局３から基地局５への通信に割り当て済みであることを示す下りユーザデータ用スロット割り当てフラグを、それぞれ送信する。
【００３５】
これにより、各基地局２〜５は、下りシグナリングスロット＃１，＃２，＃３，＃４の下りユーザデータ用スロット割り当てフラグを受信し、そのフラグによって自局が使用する下りユーザデータ用スロットを認識する。
【００３６】
基地局１のＢＳ部は、ＤＬフレーム中の自局が使用する下りユーザデータ用スロット＃１，＃２でユーザデータを送信する。下りユーザデータ用スロット＃１では、基地局２に向けたユーザデータを送信する。下りユーザデータ用スロット＃２では、基地局３に向けたユーザデータを送信する。
【００３７】
基地局１のＢＳ部は、ＵＬフレーム中の自局が使用する上りユーザデータ用スロットのユーザデータを受信する。上りユーザデータ用スロットは下りユーザデータ用スロットに対応するものを使用する。図６の例では、４つの上りユーザデータ用スロット＃１，＃２，＃３，＃４のうち、スロット＃１は基地局２から基地局１への通信に、スロット＃２は基地局３から基地局１への通信に、スロット＃３は基地局４から基地局２への通信に、スロット＃５は基地局５から基地局３への通信に、それぞれ使用される。従って、基地局１のＢＳ部は、上りユーザデータ用スロット＃１のユーザデータと、上りユーザデータ用スロット＃２のユーザデータとを受信する。
【００３８】
基地局１のＢＳ部は、ＵＬフレーム中の上りシグナリングスロットのデータを受信する。上りシグナリングスロットは、図１７（ｂ）に示されるように、上りユーザデータ用スロットの各々に対応して設けられる。上りシグナリングスロットでは、基地局２〜５によってユーザデータ用スロットの割り当て要求フラグが送信される。例えば、ユーザデータ用スロット＃３の割り当てを要求する場合には、上りシグナリングスロット＃３でユーザデータ用スロット割り当て要求フラグが送信される。ユーザデータ用スロット割り当て要求フラグは、どの基地局からどの基地局への通信に使用するユーザデータ用スロットの割り当てを要求しているのかを示す。基地局１のＢＳ部は、各上りシグナリングスロットで受信したユーザデータ用スロット割り当て要求フラグに応じて、該当するユーザデータ用スロットを割り当てるか否かを判断する。この判断の結果、要求を受け入れる場合には、該当する下りユーザデータ用スロットに対応する下りシグナリングスロットで、要求通りにユーザデータ用スロットを割り当てたことを通知する下りユーザデータ用スロット割り当てフラグを送信する。
【００３９】
次に、図５を参照して図１に示す基地局２，３，４，５に係る構成を説明する。この図５において図４の各部に対応する部分には同一の符号を付している。
図５において、基地局２，３，４，５はＢＳ部及びＭＳＳ部を有する。なお、通信経路の末端である基地局４，５は、ＢＳ部が動作しない。図５のＢＳ部は、時刻同期部３１と下りユーザデータ用スロット送信部３５と上りシグナリングスロット受信部３６と上りユーザデータ用スロット受信部３７とを有する。ＭＳＳ部は、同期パターン受信部５１とスロット割り当て要求部５２と下りシグナリングスロット受信部５３と下りユーザデータ用スロット受信部５４と上りシグナリングスロット送信部５５と上りユーザデータ用スロット送信部５６とを有する。
【００４０】
図５のＢＳ部において、時刻同期部３１は、図４の時刻同期部３１と同様に、基地局間の時刻同期を取る。下りユーザデータ用スロット送信部３５は、図４の下りユーザデータ用スロット送信部３５と同様に、自局から送信するユーザデータをＤＬフレーム中の自局に割り当てられた下りユーザデータ用スロットで送信する。上りシグナリングスロット受信部３６は、図４の上りシグナリングスロット受信部３６と同様に、上りシグナリングスロットのデータを受信する。上りユーザデータ用スロット受信部３７は、図４の上りユーザデータ用スロット受信部３７と同様に、ＵＬフレーム中の自局に割り当てられた上りユーザデータ用スロットのデータを受信する。
【００４１】
図５のＭＳＳ部において、同期パターン受信部５１は、無線モジュール１２で受信された信号から、同期パターンを受信する。この同期パターンの受信タイミングに基づいて、ＤＬフレーム中の各スロットでのデータ受信タイミング及びＵＬフレーム中の各スロットでのデータ送信タイミングが決定される。
【００４２】
スロット割り当て要求部５２は、自局で使用するユーザデータ用スロットの割り当てを要求するユーザデータ用スロット割り当て要求フラグを作成する。
下りシグナリングスロット受信部５３は、無線モジュール１２から受け取った受信信号から、下りシグナリングスロットのデータを受信する。
下りユーザデータ用スロット受信部５４は、無線モジュール１２から受け取った受信信号から、自局が使用する下りユーザデータ用スロットのデータを受信する。自局で使用する下りシグナリングスロットは、下りシグナリングスロットで受信した下りユーザデータ用スロット割り当てフラグによって認識される。
【００４３】
上りシグナリングスロット送信部５５は、無線モジュール１２によりＵＬフレーム中の上りシグナリングスロットでユーザデータ用スロット割り当て要求フラグを送信する。
上りユーザデータ用スロット送信部５６は、無線モジュール１２により、自局から送信するユーザデータをＵＬフレーム中の自局に割り当てられた上りユーザデータ用スロットで送信する。
【００４４】
ここで、図６を参照して基地局２，３，４，５の動作を説明する。
図６において、基地局２，３，４，５のＭＳＳ部は、基地局１から送信された同期パターンを受信する。この同期パターンの受信により、該同期パターンを先頭に有するＤＬフレーム中の各スロットの時間的な受信位置及びそのＤＬフレームに引き続くＵＬフレーム中の各スロットの時間的な送信位置が認識される。
【００４５】
基地局２のＭＳＳ部は、同期パターンの受信タイミングに基づいて、自局が使用する下りユーザデータ用スロット＃１のデータ（基地局１からのユーザデータ）を受信する。また、基地局２のＭＳＳ部は、同期パターンの受信タイミングに基づいて、自局が使用する上りユーザデータ用スロット＃１でデータ（基地局１へのユーザデータ）を送信する。
【００４６】
基地局２のＢＳ部は、全基地局で共有される同期パターンの送信タイミングに基づいて、自局が使用する下りユーザデータ用スロット＃３でデータ（基地局４へのユーザデータ）を送信する。また、基地局２のＢＳ部は、全基地局で共有される同期パターンの送信タイミングに基づいて、自局が使用する上りユーザデータ用スロット＃３のデータ（基地局４からのユーザデータ）を受信する。
【００４７】
基地局３のＭＳＳ部は、同期パターンの受信タイミングに基づいて、自局が使用する下りユーザデータ用スロット＃２のデータ（基地局１からのユーザデータ）を受信する。また、基地局３のＭＳＳ部は、同期パターンの受信タイミングに基づいて、自局が使用する上りユーザデータ用スロット＃２でデータ（基地局１へのユーザデータ）を送信する。
【００４８】
基地局３のＢＳ部は、全基地局で共有される同期パターンの送信タイミングに基づいて、自局が使用する下りユーザデータ用スロット＃４でデータ（基地局５へのユーザデータ）を送信する。また、基地局３のＢＳ部は、全基地局で共有される同期パターンの送信タイミングに基づいて、自局が使用する上りユーザデータ用スロット＃４のデータ（基地局５からのユーザデータ）を受信する。
【００４９】
基地局４のＭＳＳ部は、同期パターンの受信タイミングに基づいて、自局が使用する下りユーザデータ用スロット＃３のデータ（基地局２からのユーザデータ）を受信する。また、基地局４のＭＳＳ部は、同期パターンの受信タイミングに基づいて、自局が使用する上りユーザデータ用スロット＃３でデータ（基地局２へのユーザデータ）を送信する。
【００５０】
基地局５のＭＳＳ部は、同期パターンの受信タイミングに基づいて、自局が使用する下りユーザデータ用スロット＃４のデータ（基地局３からのユーザデータ）を受信する。また、基地局５のＭＳＳ部は、同期パターンの受信タイミングに基づいて、自局が使用する上りユーザデータ用スロット＃４でデータ（基地局３へのユーザデータ）を送信する。
【００５１】
基地局２，３，４，５のＭＳＳ部は、同期パターンの受信タイミングに基づいて、下りシグナリングスロット＃１，＃２，＃３，＃４のデータを受信する。基地局２，３，４，５は、下りシグナリングスロット＃１，＃２，＃３，＃４の受信データに、下りユーザデータ用スロット割り当てフラグが含まれていた場合、該下りユーザデータ用スロット割り当てフラグによって該当のユーザデータ用スロットが割り当て済みであること、さらに、該ユーザデータ用スロットがどの基地局からどの基地局への通信に割り当てられているのかを認識する。一方、基地局２，３，４，５は、下りシグナリングスロット＃１，＃２，＃３，＃４の受信データに、下りユーザデータ用スロット割り当てフラグが含まれていない場合、該当のユーザデータ用スロットが未割り当てであり空いていることを認識する。
【００５２】
基地局２，３，４，５のＭＳＳ部は、同期パターンの受信タイミングに基づいて、上りシグナリングスロット＃１，＃２，＃３，＃４でデータを送信する。基地局２，３，４，５は、自局が使用を希望するユーザデータ用スロットに対応する上りシグナリングスロットで、ユーザデータ用スロット割り当て要求フラグを送信する。
【００５３】
なお、基地局２，３，４，５から基地局１へ上りシグナリングスロットのデータを伝達する方法としては、次の二通り（方法Ａ，Ｂ）がある。
（方法Ａ）
基地局１が、直接に、基地局２，３，４，５から送信された上りシグナリングスロットのデータを受信する。
（方法Ｂ）
隣り合う基地局を経由して基地局１へ上りシグナリングスロットのデータを伝達する。基地局４から送信された上りシグナリングスロットのデータは、まず基地局２が受信し、次いで基地局２から基地局１へ転送される。基地局５から送信された上りシグナリングスロットのデータは、まず基地局３が受信し、次いで基地局３から基地局１へ転送される。なお、基地局２，３から送信された上りシグナリングスロットのデータは直接に基地局１が受信する。
【００５４】
図７は、本実施形態に係るユーザデータ用スロット割り当て要求手順を示すフローチャートである。基地局２，３，４，５は、図７のユーザデータ用スロット割り当て要求手順によって自局が使用するユーザデータ用スロットの割り当て要求を行う。
図７において、ステップＳ１では、下りシグナリングスロット＃１，＃２，＃３，＃４のデータを受信する。
ステップＳ２では、全ての下りシグナリングスロット＃１，＃２，＃３，＃４で下りユーザデータ用スロット割り当てフラグが受信されたか（スロットの空きなしか）否か（スロットの空きありか）を判断する。スロットの空きありの場合にはステップＳ３に進み、スロットの空きなしの場合にはステップＳ４に進む。
【００５５】
ステップＳ３では、空きのスロットに対応する上りシグナリングスロットで、ユーザデータ用スロット割り当て要求フラグを送信する。
ステップＳ４では、スロットの空きがないので、スロットの割り当て不可と判断し、図７の処理を終了する。
【００５６】
ステップＳ５では、ステップＳ３でユーザデータ用スロット割り当て要求フラグを送信した上りシグナリングスロットに対応する下りシグナリングスロットの受信データを監視する。この監視は所定期間継続させる。
ステップＳ６では、その監視の結果、自局へのユーザデータ用スロットの割り当てを通知する下りユーザデータ用スロット割り当てフラグが受信されたか否かを判断する。この結果、自局に係る下りユーザデータ用スロット割り当てフラグが受信され、自局にユーザデータ用スロットが割り当てられた場合には、ステップＳ７に進む。一方、監視期限が過ぎても自局に係る下りユーザデータ用スロット割り当てフラグが受信されなかった場合には、ステップＳ１に戻り、再度、空きのスロットを探す。
【００５７】
ステップＳ７では、自局に割り当てられたユーザデータ用スロットを自局が使用するユーザデータ用スロットとして設定する。その後、図７の処理を終了する。
【００５８】
上述した第１実施形態によれば、１台の基地局１のみが同期パターンを送信し、他の基地局２〜５は同期パターンを送信しない。これにより、基地局間干渉によって同期パターンがうまく受信できなくなるという不具合を防止することができる。また、基地局間同期の取れた時刻に基づいた所定の同期パターン送信タイミングを全基地局１〜５で共有し、その同期パターン送信タイミングに基づいて、各基地局１〜５のＢＳ部が、それぞれに、ＤＬフレーム中の各スロットの時間的な送信位置及びＵＬフレーム中の各スロットの時間的な受信位置を認識する。これにより、基地局間相互におけるＤＬフレーム及びＵＬフレームのスロット構成が正しく保たれ、基地局間通信が安定する。
【００５９】
また、第１実施形態によれば、基地局１がユーザデータ用スロットの割り当てを管理し、各基地局に対して動的にユーザデータ用スロットを割り当てるようにしている。
【００６０】
なお、ＭＳＳ部については、従来の機能と同様であり、従来の装置を流用することができる。
【００６１】
［第２実施形態］
図８は、本発明の第２実施形態に係る基地局間無線ネットワークシステムにおける無線フレームの構成を説明するための説明図である。図８は、図６と同様に、図１に示す基地局間無線ネットワークシステムを対象にしている。
図８に示す第２実施形態において、図６の第１実施形態と異なる点は、ユーザデータ用スロットと共に対応するシグナリングスロットを配置している点である。そして、ユーザデータ用スロットを使用したい基地局が、そのシグナリングスロットを使用中であることを通知するフラグを送信する。このため、第１実施形態とは異なり、各基地局が自律的に空きのユーザデータ用スロットを使用する。
【００６２】
［第３実施形態］
図９は、本発明の第３実施形態に係る基地局間無線ネットワークシステムの構成を示すブロック図である。以下、第１実施形態と異なる点について説明する。
図９において、基地局間無線ネットワークシステムは、基地局１〜５に加えて制御局Ｃを備える。制御局Ｃの無線エリアは、全ての基地局１〜５をカバーする。従って、全基地局１〜５は、制御局Ｃから送信された電波を受信することができる。また、制御局Ｃは各基地局１〜５から送信された電波を受信することができる。なお、制御局Ｃが利用する周波数帯は、基地局１〜５の利用周波数帯と同じである。また、制御局Ｃのハードウェア構成は図３と同様である。
【００６３】
図１０は、図９に示す制御局Ｃに係る機能ブロック図である。この図１０において図４の各部に対応する部分には同一の符号を付している。
図１０において、制御局Ｃは、時刻同期部３１と同期パターン送信部３２とスロット割り当て管理部３３と下りシグナリングスロット送信部３４と上りシグナリングスロット受信部３６とを有する。これら各部３１，３２，３３，３４，３６は、図４の基地局１のＢＳ部が有するものと同じである。そして、本実施形態では、基地局１のＢＳ部は、第１実施形態とは異なり、同期パターン送信部３２とスロット割り当て管理部３３と下りシグナリングスロット送信部３４と上りシグナリングスロット受信部３６を備えず、図５のＢＳ部と同様の構成である。なお、基地局１は、第１実施形態と同様に、ＭＳＳ部については動作しない。
【００６４】
図１１を参照して、本実施形態に係る制御局Ｃ及び基地局１の動作を説明する。図１１は、図９に示す基地局間無線ネットワークシステムにおける無線フレームの構成を説明するための説明図である。なお、基地局２〜５については、第１実施形態と同じ動作である。
図１１において、制御局Ｃは、ＤＬフレームの先頭で同期パターンを送信する。また、制御局Ｃは、ＤＬフレーム中の下りシグナリングスロットでユーザデータ用スロット割り当て情報を送信する。また、制御局Ｃは、ＵＬフレーム中の上りシグナリングスロットのデータを受信する。また、制御局Ｃは、各上りシグナリングスロットで受信したユーザデータ用スロット割り当て要求フラグに応じて、該当するユーザデータ用スロットを割り当てるか否かを判断する。この判断の結果、要求を受け入れる場合には、該当する下りユーザデータ用スロットに対応する下りシグナリングスロットで、要求通りにユーザデータ用スロットを割り当てたことを通知する下りユーザデータ用スロット割り当てフラグを送信する。
これらの動作は第１実施形態における基地局１のＢＳ部と同じである。
【００６５】
基地局１のＢＳ部は、全基地局で共有される同期パターンの送信タイミングに基づいて、自局が使用する下りユーザデータ用スロット＃１，＃２でデータ（基地局２，３へのユーザデータ）を送信する。また、基地局１のＢＳ部は、全基地局で共有される同期パターンの送信タイミングに基づいて、自局が使用する上りユーザデータ用スロット＃１，２のデータ（基地局２，３からのユーザデータ）を受信する。
【００６６】
上述した第３実施形態によれば、制御局Ｃによって、同期パターンの送信及びユーザデータ用スロットの動的割り当ての管理を行うことができる。
【００６７】
［第４実施形態］
図１２は、本発明の第４実施形態に係る基地局間無線ネットワークシステムの構成を示すブロック図である。第４実施形態では、第３実施形態に係る制御局Ｃを複数設け、制御局Ｃ間を専用の通信回線で接続している。
図１２において、３台の制御局Ｃ１，Ｃ２，Ｃ３が設けられ、制御局Ｃ１，Ｃ２間及び制御局Ｃ２，Ｃ３間がそれぞれ専用の通信回線で接続されている。制御局Ｃ１の無線エリアは、基地局１，２，３をカバーする。制御局Ｃ３の無線エリアは、基地局７，８，９をカバーする。制御局Ｃ２の無線エリアは、全制御局Ｃ１，Ｃ３及び全基地局１〜９をカバーする。なお、制御局Ｃ１，Ｃ２，Ｃ３及び基地局１〜９の利用周波数帯は同じである。
【００６８】
図１３は、図１２に示す基地局間無線ネットワークシステムにおける無線フレームの構成を説明するための説明図である。図１３を参照して、本実施形態に係る制御局Ｃ１，Ｃ２，Ｃ３の動作を説明する。なお、図１３にはＤＬフレームのみを示している。
図１３において、無線フレームは、時間方向のチャネルに加えて周波数方向のサブチャネルを有する。制御局Ｃ２は、ＤＬフレームの先頭で同期パターンを送信する。同期パターンを送信するのは、制御局Ｃ２のみであり、他の制御局Ｃ１，Ｃ３は同期パターンを送信しない。
【００６９】
各制御局Ｃ１，Ｃ２，Ｃ３は、それぞれに、定められた下りシグナリングスロットでユーザデータ用スロット割り当て情報を送信する。なお、基地局１，２，３は、第３実施形態の基地局１，２，３と同じ動作であり、制御局Ｃ１からの下りシグナリングスロットのデータを受信する。同様に、基地局４，５，６は、第３実施形態の基地局１，２，３と同じ動作であり、制御局Ｃ２からの下りシグナリングスロットのデータを受信する。同様に、基地局７，８，９は、第３実施形態の基地局１，２，３と同じ動作であり、制御局Ｃ３からの下りシグナリングスロットのデータを受信する。
【００７０】
上述した第４実施形態によれば、複数の制御局によって、それぞれに、基地局間無線ネットワークシステムを構成した場合においても、１台の制御局のみが同期パターンを送信し、他の制御局は同期パターンを送信しないので、干渉によって同期パターンがうまく受信できなくなるという不具合を防止することができる。
【００７１】
なお、上述の第１〜４実施形態では、第２の基地局（同期パターンを送信しない基地局）のデータ送信タイミングを、第１の基地局（同期パターンを送信する唯一の基地局）が送信する同期パターンを受信することによって得ているが、例えばシステム全体で絶対時刻によりタイミング同期を取る方法などによっても、同様の効果を得ることができる。
【００７２】
［第５実施形態］
第１〜４実施形態は、移動通信システムにおいて基地局同士が無線ネットワークを構成する場合を例に挙げたが、第５実施形態は、複数の通信装置が無線ネットワークを構成する場合の例である。
図１４は、本発明の第５実施形態に係る無線ネットワークシステムの構成を示すブロック図である。
図１４において、無線ネットワークシステムは、複数（図１４の例では３台）の通信装置７１，７２，７３から構成される。各通信装置７１，７２，７３は、全ての通信装置７１，７２，７３の無線エリアが重なっている場所に配置されている。従って、各通信装置７１，７２，７３は、他の全ての通信装置７１，７２，７３から送信された電波を受信することができる。なお、通信装置７１，７２，７３は、同じ周波数帯を利用して無線通信を行う。通信装置７１，７２，７３のうち、通信装置７１は、無線ネットワークにおける通信経路の根に相当する基地局である。通信装置７１は、通信装置７２，７３と直接的に通信する。通信装置７２と通信装置７３は、通信装置７１を介して通信する。
【００７３】
図１５は、図１４に示す通信装置７１の構成を示すブロック図である。図１６は、図１４に示す通信装置７２，７３の構成を示すブロック図である。
まず、図１５を参照して図１４に示す通信装置７１に係る構成を説明する。図１５において、通信装置７１は、時刻同期部８１と同期パターン送信部８２と下りリンクデータ送信部８３と上りリンクデータ受信部８４とを有する。
時刻同期部８１は、自装置７１と他の通信装置７２，７３との間で、時刻の同期を取る。これにより、通信装置７１は、他の通信装置７２，７３との間で相互に同期した時刻に基づいて動作する。同期パターン送信部８２は、該同期した時刻に基づく同期パターン送信タイミングで、同期パターンを他の通信装置７２，７３に送信する。下りリンクデータ送信部８３は、他の通信装置７２，７３に向けたデータを、該同期パターン送信タイミングに基づくタイミングで送信する。上りリンクデータ受信部８４は、他の通信装置７２，７３が該同期パターン送信タイミングに基づくタイミングで送信したデータ、を受信する。他の通信装置７２，７３からは、同期パターンを伴わずに、データが送信される。
【００７４】
次に、図１６を参照して図１４に示す通信装置７２，７３に係る構成を説明する。図１６において、通信装置７２，７３は、時刻同期部８１と同期パターン受信部９１と上りリンクデータ送信部９２と下りリンクデータ受信部９３とを有する。
時刻同期部８１は、自装置７２（７３）と他の通信装置７１，７３（７１，７２）との間で、時刻の同期を取る。これにより、通信装置７２（７３）は、他の通信装置７１，７３（７１，７２）との間で相互に同期した時刻に基づいて動作する。同期パターン受信部９１は、他の通信装置のいずれか１つ（本実施例では通信装置７１）が該同期した時刻に基づく同期パターン送信タイミングで送信した同期パターン、を受信する。上りリンクデータ送信部９２は、該同期パターン送信タイミングに基づくタイミングで、他の通信装置７１，７３（７１，７２）に向けたデータを、同期パターンを伴わずに送信する。下りリンクデータ受信部９３は、通信装置７１が該同期パターン送信タイミングに基づくタイミングで送信したデータ、を受信する。
【００７５】
なお、通信装置７２（７３）において、上りリンクデータ送信部９２が、同期パターン受信部９１が同期パターンを受信したタイミング、から同期パターン送信タイミングを検出し、該検出した同期パターン送信タイミングに基づくタイミングで、他の通信装置７１，７３（７１，７２）に向けたデータを、同期パターンを伴わずに送信する、ように構成してもよい。
【００７６】
以上、本発明の実施形態について図面を参照して詳述してきたが、具体的な構成はこの実施形態に限られるものではなく、本発明の要旨を逸脱しない範囲の設計変更等も含まれる。
なお、上述した実施の形態では、同期パターンの干渉を避ける手段として、１つの基地局のみが同期パターンを送信する方法を示したが、その他にも同期パターン送信基地局を順番に切り替える方法や、同期パターン送信周波数を切り替える方法、同期パターンを直交コードで拡散する方法などによっても、同様の効果を得ることができる。
【図面の簡単な説明】
【００７７】
【図１】本発明の第１実施形態に係る基地局間無線ネットワークシステムの構成を示すブロック図である。
【図２】図１に示す基地局間無線ネットワークシステムにおける基地局１〜５の機能構造を示す図である。
【図３】図１に示す基地局間無線ネットワークシステムにおける基地局１〜５のハードウェア構成を示すブロック図である。
【図４】図１に示す基地局１に係る機能ブロック図である。
【図５】図１に示す基地局２〜５に係る機能ブロック図である。
【図６】図１に示す基地局間無線ネットワークシステムにおける無線フレームの構成を説明するための説明図である。
【図７】本発明の第１実施形態に係るユーザデータ用スロット割り当て要求手順を示すフローチャートである。
【図８】本発明の第２実施形態に係る基地局間無線ネットワークシステムにおける無線フレームの構成を説明するための説明図である。
【図９】本発明の第３実施形態に係る基地局間無線ネットワークシステムの構成を示すブロック図である。
【図１０】図９に示す制御局Ｃに係る機能ブロック図である。
【図１１】図９に示す基地局間無線ネットワークシステムにおける無線フレームの構成を説明するための説明図である。
【図１２】本発明の第４実施形態に係る基地局間無線ネットワークシステムの構成を示すブロック図である。
【図１３】図１２に示す基地局間無線ネットワークシステムにおける無線フレームの構成を説明するための説明図である。
【図１４】本発明の第５実施形態に係る無線ネットワークシステムの構成を示すブロック図である。
【図１５】図１４に示す通信装置７１の構成を示すブロック図である。
【図１６】図１４に示す通信装置７２，７３の構成を示すブロック図である。
【図１７】IEEE802.16eをベースにした無線フレームフォーマットの例を示す図である。
【図１８】IEEE802.16eをベースにした無線フレームの送信順序の例を示す図である。
【符号の説明】
【００７８】
１〜５…基地局（通信装置）、１１…アンテナ、１２…無線モジュール、１４…ＧＰＳ装置、１５…ＣＰＵ、１６…メモリ、３１，８１…時刻同期部、３２，８２…同期パターン送信部、３３…スロット割り当て管理部、３４…下りシグナリングスロット送信部、３５…下りユーザデータ用スロット送信部、３６…上りシグナリングスロット受信部、３７…上りユーザデータ用スロット受信部、５１，９１…同期パターン受信部、５２…スロット割り当て要求部、５３…下りシグナリングスロット受信部、５４…下りユーザデータ用スロット受信部、５５…上りシグナリングスロット送信部、５６…上りユーザデータ用スロット送信部、７１，７２，７３…通信装置、８３…下りリンクデータ送信部、８４…上りリンクデータ受信部、９２…上りリンクデータ送信部、９３…下りリンクデータ受信部
【図１】
2009117984.tif 000003
【図２】
2009117984.tif 000004
【図３】
2009117984.tif 000005
【図４】
2009117984.tif 000006
【図５】
2009117984.tif 000007
【図６】
2009117984.tif 000008
【図７】
2009117984.tif 000009
【図８】
2009117984.tif 000010
【図９】
2009117984.tif 000011
【図１０】
2009117984.tif 000012
【図１１】
2009117984.tif 000013
【図１２】
2009117984.tif 000014
【図１３】
2009117984.tif 000015
【図１４】
2009117984.tif 000016
【図１５】
2009117984.tif 000017
【図１６】
2009117984.tif 000018
【図１７】
2009117984.tif 000019
【図１８】
2009117984.tif 000020